(57)【要約】【課題】光ディスクが一時的に受ける振動を考慮して光ビームの記録用パワーを最適に調整する調整処理を行なうディスク記録再生装置を提供する。【解決手段】光ディスク１ａ上のＰＣＡ領域に記録されたデータをピックアップ１１が再生した場合にＲＦ信号生成部１２が生成するＲＦ信号に基づいて、ＲＦＲＰ信号生成部１４がＲＦＲＰ信号を生成する。揺れ幅検出部１５が、ＲＦＲＰ信号の所定時間における平均振幅、ＲＦＲＰ信号の所定時間における最大振幅と最小振幅との差分（揺れ幅）を算出し、平均振幅に対する揺れ幅の割合を算出する。制御部１０は、平均振幅に対する揺れ幅の割合が、予め設定された所定の閾値よりも大きい場合、ＯＰＣ処理の実行中に光ディスク１ａが一時的に異常な振動を受けたとし、ＯＰＣ処理部１３は、ＲＦ信号に基づくβ値を複数回算出し、これらの平均値に基づいて最適な記録用パワーを決定するＯＰＣ処理を行なう。【選択図】図１
2008041139.tif 000002
【特許請求の範囲】
【請求項１】
ディスク形状の記録媒体上に光ビームを照射してデータを記録する記録手段と、該記録手段が記録したデータを再生して再生信号を出力する再生手段と、該再生手段が出力した再生信号の状態に基づいて、データを記録する際の前記光ビームの記録用パワーを最適に調整する調整処理を行なう調整手段とを備えるディスク記録再生装置において、
前記再生手段が出力した再生信号の所定時間内における最大値及び最小値の差分を算出する差分算出手段と、
前記再生信号の前記所定時間内における振幅の平均値を算出する振幅算出手段と、
該振幅算出手段が算出した振幅の平均値に対する、前記差分算出手段が算出した差分の割合を算出する割合算出手段と
を備え、
前記調整手段は、前記割合算出手段が算出した割合に応じた調整処理を行なうように構成してあることを特徴とするディスク記録再生装置。
【請求項２】
前記調整手段は、
前記所定時間毎に前記再生信号をサンプリングして得られる値に基づいて前記光ビームの記録用パワーを調整する調整処理を行なっており、
前記割合算出手段が算出した割合が予め設定された閾値よりも大きい場合、前記所定時間毎に複数回、前記再生信号をサンプリングして得られる複数の値の平均値に基づいて前記調整処理を行なうように構成してあることを特徴とする請求項１に記載のディスク記録再生装置。
【請求項３】
前記調整手段は、
前記所定時間毎に前記再生信号をサンプリングして得られる値に基づいて前記光ビームの記録用パワーを調整する調整処理を行なっており、
前記割合算出手段が算出した割合が予め設定された閾値よりも大きい場合、前記所定時間よりも長い時間毎に前記再生信号をサンプリングして得られる値に基づいて前記調整処理を行なうように構成してあることを特徴とする請求項１に記載のディスク記録再生装置。
【発明の詳細な説明】
【技術分野】
【０００１】
本発明は、ディスク形状の記録媒体上に光ビームを照射させてデータを記録し、記録したデータを再生するディスク記録再生装置に関するものである。
【背景技術】
【０００２】
ＤＶＤ−Ｒ、ＤＶＤ−ＲＷ、ＤＶＤ＋ＲＷ、ＤＶＤ−ＲＯＭ、ＣＤ−Ｒ及びＣＤ−ＲＷ等の光ディスク上に、光ビームとして例えばレーザ光を用いて情報を書き込む光ディスク装置は、光ディスク上に情報を書き込む際、最適な記録用パワーを決定するためにＯＰＣ（Optimum Power Control）処理を行なうように構成されている。ＯＰＣ処理とは、光ディスク上に予め設けられたテスト領域に対して、記録用パワーを段階的に変化させつつテストパターンの書き込みを行ない、書き込まれたテストパターンを読み出して再生することにより得られたＲＦ（Radio Frequency）信号に基づいて最適な記録用パワーを決定する処理のことである。このようなＯＰＣ処理によって決定された最適な記録用パワーで光ディスクへの書き込みを行なうことにより、各別の光ディスクにおける記録感度のばらつき、光ディスクと光ディスク装置の光ピックアップとの特性の相違、周辺温度等を考慮した最適な条件での書き込み処理が可能になり、光ディスク上に書き込まれた情報の信頼性を確保することができる。
【０００３】
特許文献１には、光ディスク上のテスト領域に書き込まれたテストパターンを再生して得られたＲＦ信号の最大値及び最小値から算出したβ値に基づいて、最適な記録用パワーを決定するＯＰＣ処理を行なう構成の光ディスク装置が開示されている。また、特許文献２には、ランダムに生成されたテストパターンを光ディスク上のテスト領域に書き込み、このテストパターンを再生して得られたＲＦ信号の振幅情報、ジッタ値又はデータ誤り率等に基づいて、最適な記録用パワーを決定するＯＰＣ処理を行なう構成の光ディスク装置が開示されている。
【０００４】
また、特許文献１に開示された光ディスク装置は、光ディスク上への情報の書き込み処理を行ないつつ、上述したＯＰＣ処理によって記録用パワーを逐次調整するランニングＯＰＣ処理を行なう構成を有している。ランニングＯＰＣ処理を行なうことにより、光ディスク上に情報を書き込む際に逐次発生する各種の書き込み条件の変化に対応した最適な記録用パワーでの書き込み処理が可能になる。
【特許文献１】特開２００３−１７８４５０号公報
【特許文献２】特開２００４−１９９７４６号公報
【発明の開示】
【発明が解決しようとする課題】
【０００５】
ここで、光ディスクは、光ディスク装置が外部から受ける衝撃及び振動に基づく振動、情報が書き込まれる際に光ディスク装置から受ける振動等の一時的に発生する正常でない振動を受ける場合がある。しかし、ランニングＯＰＣ処理は、上述したように、光ディスク上に情報を書き込む際に発生する各種の書き込み条件の変化を考慮した書き込み処理を可能にするが、光ディスク装置から受ける一時的な振動には対応していない場合が多い。従って、ＯＰＣ処理におけるＲＦ信号に、光ディスクが光ディスク装置から受けた振動に基づく揺れが含まれる場合であっても、光ディスク装置から振動を受けない場合と同様の処理のみを行なうことになる。よって、ランニングＯＰＣ処理によって得られた最適な記録用パワーは、一時的に光ディスクが受けた振動に基づく揺れを含んだＲＦ信号に基づいて決定されており、特定した記録用パワーが最適なものでない場合があるという問題を有している。
【０００６】
本発明は斯かる事情に鑑みてなされたものであり、その目的とするところは、光ディスクの特性、光ディスク及びディスク記録再生装置の特性の相違、周辺温度等のみならず、光ディスクが一時的に受ける振動を考慮した光ビームの記録用パワーの調整処理を行ない、より最適な記録用パワーでの書き込み処理が可能なディスク記録再生装置を提供することにある。
【０００７】
本発明の他の目的は、光ディスクが一時的に受けた振動によって再生信号に一時的に付加された揺れが大きい場合、その影響を小さくするようなサンプリング処理を行ない、揺れの影響が小さくされた再生信号に基づく調整処理によって、より最適な記録用パワーを決定することが可能なディスク記録再生装置を提供することにある。
【課題を解決するための手段】
【０００８】
本発明に係るディスク記録再生装置は、ディスク形状の記録媒体上に光ビームを照射してデータを記録する記録手段と、該記録手段が記録したデータを再生して再生信号を出力する再生手段と、該再生手段が出力した再生信号の状態に基づいて、データを記録する際の前記光ビームの記録用パワーを最適に調整する調整処理を行なう調整手段とを備えるディスク記録再生装置において、前記再生手段が出力した再生信号の所定時間内における最大値及び最小値の差分を算出する差分算出手段と、前記再生信号の前記所定時間内における振幅の平均値を算出する振幅算出手段と、該振幅算出手段が算出した振幅の平均値に対する、前記差分算出手段が算出した差分の割合を算出する割合算出手段とを備え、前記調整手段は、前記割合算出手段が算出した割合に応じた調整処理を行なうように構成してあることを特徴とする。
【０００９】
本発明によれば、ディスク記録再生装置が、ディスク形状の記録媒体上に記録されたデータを再生して出力した再生信号の状態に基づいて、データを記録する際の光ビームの記録用パワーを最適に調整する調整処理を行なう場合、再生信号の所定時間内における最大値及び最小値の差分、及び再生信号の前記所定時間内における振幅の平均値を算出し、算出した振幅の平均値に対する前記差分の割合を算出する。従って、再生信号の振幅の平均値に対する前記差分の割合が示す前記再生信号における揺れ状態に基づいて、記録用パワーの調整処理を行なうので、再生信号に一時的に付加された揺れの状態を考慮した調整処理によってより最適な記録用パワーを決定することが可能となる。
【００１０】
本発明に係るディスク記録再生装置は、前記調整手段は、前記所定時間毎に前記再生信号をサンプリングして得られる値に基づいて前記光ビームの記録用パワーを調整する調整処理を行なっており、前記割合算出手段が算出した割合が予め設定された閾値よりも大きい場合、前記所定時間毎に複数回、前記再生信号をサンプリングして得られる複数の値の平均値に基づいて前記調整処理を行なうように構成してあることを特徴とする。
【００１１】
本発明によれば、ディスク記録再生装置が、再生信号の所定時間内における振幅の平均値に対する、再生信号の前記所定時間内における最大値及び最小値の差分の割合が所定の閾値よりも大きい場合、前記所定時間毎に複数回、再生信号をサンプリングして得られる複数の値の平均値に基づいて光ビームの記録用パワーの調整処理を行なう。よって、再生信号に一時的に付加された揺れの影響を複数回のサンプリングにおける平均値によって小さくし、このような再生信号に基づく調整処理によってより最適な記録用パワーを決定することが可能な調整処理を行なう。
【００１２】
本発明に係るディスク記録再生装置は、前記調整手段は、前記所定時間毎に前記再生信号をサンプリングして得られる値に基づいて前記光ビームの記録用パワーを調整する調整処理を行なっており、前記割合算出手段が算出した割合が予め設定された閾値よりも大きい場合、前記所定時間よりも長い時間毎に前記再生信号をサンプリングして得られる値に基づいて前記調整処理を行なうように構成してあることを特徴とする。
【００１３】
本発明によれば、ディスク記録再生装置が、算出した再生信号の振幅の平均値に対する差分の割合が所定の閾値よりも大きい場合、再生信号をサンプリングする所定時間よりも長い時間毎に再生信号をサンプリングして得られる値に基づいて光ビームの記録用パワーを調整する。よって、サンプリング時間を長くすることにより、記録媒体が一時的に受けた振動によって再生信号に一時的に付加された揺れの影響を小さくし、このような再生信号に基づく調整処理によってより最適な記録用パワーを決定することが可能な調整処理を行なう。
【発明の効果】
【００１４】
本発明では、ディスク記録再生装置が、ディスク形状の記録媒体上に記録されたデータを再生して出力した再生信号の所定時間内における振幅の平均値に対する、再生信号の前記所定時間内における最大値及び最小値の差分の割合に基づいて光ビームの記録用パワーの調整処理を行なう。よって、記録媒体が外部から受ける各種の振動により前記再生信号に一時的に付加された揺れを考慮した調整処理が可能となる。従って、このような調整処理によって決定されたより最適な記録用パワーでの書き込み処理が可能となり、記録媒体上に書き込まれた情報の信頼性をより安定に確保することができる。
【００１５】
本発明では、ディスク記録再生装置が、再生信号の所定時間内における振幅の平均値に対する、再生信号の前記所定時間内における最大値及び最小値の差分の割合が所定の閾値よりも大きい場合、即ち、記録媒体が一時的に受けた振動によって再生信号に一時的に付加された揺れが大きい場合、再生信号を複数回サンプリングして得られる複数の値の平均値に基づいて光ビームの記録用パワーの調整処理を行なう。これにより、再生信号に一時的に付加された揺れの影響を複数回のサンプリング値によって小さくすることができ、揺れの影響が小さくされた再生信号に基づく調整処理によって、より最適な記録用パワーを決定することができる。
【００１６】
本発明では、ディスク記録再生装置が、再生信号の所定時間内における振幅の平均値に対する、再生信号の前記所定時間内における最大値及び最小値の差分の割合が所定の閾値よりも大きい場合、即ち、記録媒体が一時的に受けた振動によって再生信号に一時的に付加された揺れが大きい場合、サンプリング時間を長くして再生信号をサンプリングして得られる値に基づいて光ビームの記録用パワーの調整処理を行なう。これにより、再生信号に一時的に付加された揺れの影響を長いサンプリング時間によって小さくすることができ、揺れの影響が小さくされた再生信号に基づく調整処理によって、より最適な記録用パワーを決定することができる。
【発明を実施するための最良の形態】
【００１７】
以下に、本発明に係るディスク記録再生装置を、その実施の形態である光ディスク装置を示す図面に基づいて詳述する。図１は本発明に係るディスク記録再生装置としての光ディスク装置の要部構成例を示すブロック図であり、図中１は本発明のディスク記録再生装置としての光ディスク装置を示している。
【００１８】
なお、本実施形態では、ピックアップ１１からのレーザ光（光ビーム）のみにより光ディスク１ａにデータの記録再生処理を行なう光ディスク装置１を例として説明する。但し、本発明は、レーザ光を用いてディスク形状の記録媒体にデータを記録再生するものであればよい。例えば、ピックアップ１１からのレーザ光と磁気ヘッドからの磁界とにより光磁気ディスクにデータを記録再生する光磁気ディスク記録再生装置にも本発明を適用することができる。従って、記録媒体としては、ＣＤ−Ｒ、ＣＤ−ＲＷ、ＤＶＤ−Ｒ、ＤＶＤ−ＲＷ、ＤＶＤ−ＲＡＭ、ＤＶＤ＋ＲＷ等の光ディスク、ＭＯ等の光磁気ディスクを用いることができる。
【００１９】
本実施形態の光ディスク装置１は、図示しない載置トレイに載置された光ディスク１ａを回転させる回転駆動部１６、回転駆動部１６によって回転駆動している光ディスク１ａの表面にレーザ光を照射させてデータの記録再生処理を行なうピックアップ１１、光ディスク１ａ上に記録されたデータをピックアップ１１が再生出力する電気信号からＲＦ信号を生成するＲＦ信号生成部１２、ＲＦ信号生成部１２によって生成されたＲＦ信号に基づいてＯＰＣ処理を行なうＯＰＣ処理部１３、ＲＦ信号からＲＦＲＰ（Radio Frequency Ripple）信号を生成するＲＦＲＰ信号生成部１４、ＲＦＲＰ信号生成部１４によって生成されたＲＦＲＰ信号の揺れ幅を検出する揺れ幅検出部１５等を備えている。
【００２０】
また、光ディスク装置１は、ＲＯＭ及びＲＡＭが内蔵されたＣＰＵ（Central Processing Unit ）又はＭＰＵ（Micro Processor Unit）等で構成された制御部１０を備えている。制御部１０は、上述したようなハードウェア各部の動作を制御すると共に、自身に内蔵されたＲＯＭに予め格納されている制御プログラムを適宜ＲＡＭに読み出して実行する。ＲＯＭには、光ディスク装置１を本発明に係るディスク記録再生装置として動作させるために必要な種々の制御プログラムが予め格納されている。ＲＡＭはＳＲＡＭ又はフラッシュメモリ等で構成されており、制御部１０による制御プログラムの実行時に発生するデータを一時的に記憶する。
【００２１】
回転駆動部１６は、光ディスク１ａを回転させるモータ、制御部１０による制御に従ってモータを駆動させるモータ駆動回路等を備えている。このような回転駆動部１６は、制御部１０からの指示に従って、光ディスク１ａを定角速度（ＣＡＶ：Constant Angular Velocity）又は定線速度（ＣＬＶ：Constant Linear Velocity）で回転させる。
【００２２】
ピックアップ（記録手段、再生手段）１１は、光ディスク１ａに対向配置されており、光ディスク１ａの表面にレーザ光を照射するレーザダイオード、レーザダイオードを駆動させるレーザダイオード駆動回路等を備えている。ピックアップ１１は、データを光ディスク１ａ上に記録する際には記録用パワーのレーザ光を、光ディスク１ａ上のデータを再生する際には再生用パワーのレーザ光をそれぞれ照射する。制御部１０が回転駆動部１６及びピックアップ１１を適切に制御することにより、光ディスク装置１は、回転駆動部１６が回転させている光ディスク１ａ上の適切なアドレスに対して、ピックアップ１１によるデータの記録処理又は再生処理を行なうことができる。
【００２３】
光ディスク装置１が光ディスク１ａからデータを再生する場合、ピックアップ１１は、自身が照射したレーザ光の光ディスク１ａからの反射光を電気信号に変換してＲＦ信号生成部１２へ出力する。また、光ディスク装置１が光ディスク１ａへデータを記録する場合、制御部１０は、最適な記録条件として予め設定された記録パルス幅、記録用パワー等に基づいて、光ディスク１ａに記録すべきデータに応じた記録パルスを生成してピックアップ１１へ出力する。そして、ピックアップ１１は、制御部１０から出力された記録パルスに従ってレーザ光を照射し、光ディスク１ａ上の適切なアドレスへデータの記録処理を行なう。
【００２４】
ＲＦ信号生成部１２は、ピックアップ１１から出力された電気信号に対して増幅処理を行ない、増幅した電気信号を所定の閾値電圧に基づいて２値化処理する。また、ＲＦ信号生成部１２は、２値化処理によって得られた２値化信号に対してＰＬＬ（Phase Locked Loop）回路によるクロック検出処理を行ない、検出したクロック信号に基づいて２値化信号を復号処理することにより、再生信号であるＲＦ信号を生成する。このようにして得られたＲＦ信号はＯＰＣ処理部１３又はＲＦＲＰ信号生成部１４へ出力される。更に、ＲＦ信号生成部１２は、ピックアップ１１によるデータの再生処理の際のノイズ、光ディスク１ａ上の傷又は汚れ等により発生したデータの誤りを検出する処理を行なっており、誤り訂正が可能な場合にはデータの訂正処理も行なう。
【００２５】
ＯＰＣ処理部１３は、ピックアップ１１が最適な記録用パワーのレーザ光を照射するためのＯＰＣ処理における各種の処理を行なう。具体的には、光ディスク１ａ上に予め設定されたＰＣＡ（Power Calibration Area）領域に対して、ピックアップ１１が、記録条件を段階的に変化させつつ記録処理を行なった後、このＰＣＡ領域に記録されたデータの再生処理を行なった場合にＲＦ信号生成部１２が生成したＲＦ信号に基づいて、ＯＰＣ処理部（調整手段）１３が最適な記録用パワーを決定するＯＰＣ処理（調整処理）を行なう。
【００２６】
より具体的には、ＯＰＣ処理部１３は、光ディスク１ａ上のＰＣＡ領域に記録されたデータを再生して得られたＲＦ信号に対して、それぞれの記録条件毎に、所定期間内における最大値Ａ１及び最小値Ａ２を以下の式１に代入することによりβ値を算出する。また、図示しないメモリには、予め設定された最適なβ値が格納されている。従って、ＯＰＣ処理部１３は、それぞれの記録条件毎に算出した各β値と、メモリに格納されている最適なβ値とを比較することにより、最適な記録用パワーを特定することができる。
【００２７】
β＝（Ａ１＋Ａ２）／（Ａ１−Ａ２）  …（式１）
【００２８】
このようにして特定された記録用パワーは、光ディスク１ａに対して最適な記録用パワーであり、この記録用パワーは所定のメモリに格納され、光ディスク１ａに対する以降の記録処理の際に用いられる。なお、光ディスク装置１が、光ディスク１ａ上へのデータの書き込み処理を行ないつつ、上述したように記録用パワーを逐次調整するランニングＯＰＣ処理を行なう構成の場合、上述のように特定された記録用パワーは、光ディスク１ａ上の対応する領域、即ち、次にＯＰＣ処理が行なわれるまでにデータが書き込まれる領域に対する記録処理の際に用いられる。
【００２９】
また、ＯＰＣ処理部１３は、ピックアップ１１が光ディスク１ａ上のＰＣＡ領域の再生処理を行なった場合に、ＲＦ信号生成部１２による２値化処理によって得られた２値化信号と、ＰＬＬ回路によるクロック検出処理によって検出されたクロック信号との位相差に基づいてＲＦ信号のジッタ値を算出し、算出したジッタ値に基づいて最適な記録用パワーを決定してもよい。具体的には、ＯＰＣ処理部１３は、ＯＰＣ処理のために段階的に設定された記録用パワーのそれぞれに対応するジッタ値を算出し、算出したジッタ値が、例えば最小値となる記録用パワーを最適な記録用パワーに決定する。なお、光ディスク装置１にジッタ測定部を別途に設け、ジッタ測定部によってジッタ値を測定するようにしてもよい。
【００３０】
このようにＲＦ信号におけるβ値又はジッタ値に基づいて決定された最適な記録用パワーに基づいて、制御部１０が、光ディスク１ａに記録すべきデータに応じた記録パルスを生成し、ピックアップ１１が、制御部１０によって生成された記録パルスに従ってレーザ光を照射して光ディスク１ａへデータの記録処理を行なうことにより、光ディスク１ａ上に書き込まれたデータの信頼性を確保することができる。
【００３１】
本実施形態の光ディスク装置１は、更にＲＦＲＰ信号生成部１４及び揺れ幅検出部１５を備えている。ＲＦＲＰ信号生成部１４は、ピーク・ボトム検波処理部１４ａ及び差分算出部１４ｂ等を備えている。ピーク・ボトム検波処理部１４ａは、ピックアップ１１が光ディスク１ａ上のＰＣＡ領域の再生処理を行なった場合にＲＦ信号生成部１２によって生成されたＲＦ信号の所定時間内におけるピーク検波処理及びボトム検波処理を行ない、差分算出部１４ｂは、ピーク・ボトム検波処理部１４ａがピーク検波処理及びボトム検波処理を行なって得られたピーク検波信号とボトム検波信号との差分を算出し、ＲＦＲＰ信号を生成する。ＲＦＲＰ信号生成部１４は、得られたＲＦＲＰ信号を揺れ幅検出部１５へ出力する。
【００３２】
揺れ幅検出部１５は、振幅算出部１５ａ、差分算出部１５ｂ及び割合算出部１５ｃ等を備えている。振幅算出部１５ａは、ＲＦＲＰ信号生成部１４によって生成されたＲＦＲＰ信号の所定時間内における振幅の平均値を算出する。差分算出部１５ｂは、ＲＦＲＰ信号生成部１４によって生成されたＲＦＲＰ信号の所定時間内における最大振幅と最小振幅との差分を算出する。また、割合算出部１５ｃは、振幅算出部１５ａが算出した振幅の平均値に対する、差分算出部１５ｂが算出した差分の割合を算出する。
【００３３】
図２は本実施形態に係る光ディスク装置１における再生信号の波形図であり、図２（ａ）はＲＦ信号生成部１２によって生成されたＲＦ信号を、図２（ｂ）はＲＦＲＰ信号生成部１４によって生成されたＲＦＲＰ信号をそれぞれ示している。図２の波形図においては、横軸に時間を、縦軸に電圧をそれぞれ示している。ＲＦＲＰ信号生成部１４は、図２（ａ）に示すようなＲＦ信号から図２（ｂ）に示すようなＲＦＲＰ信号を生成する。揺れ幅検出部１５の振幅算出部１５ａは、図２（ｂ）に示すＲＦＲＰ信号の所定時間Ｔにおける平均振幅Ｓと、ＲＦＲＰ信号の所定時間Ｔにおける最大振幅及び最小振幅の差分Ｗとを算出する。なお、平均振幅Ｓは、ＲＦＲＰ信号の所定時間Ｔ内において適宜間隔でサンプリングした各電位の平均値であり、差分Ｗは、ＲＦＲＰ信号の所定時間Ｔ内における揺れ幅を示している。
【００３４】
揺れ幅検出部１５の割合算出部１５ｃは、振幅算出部１５ａ及び差分算出部１５ｂがそれぞれ算出した平均振幅Ｓに対する揺れ幅Ｗの割合Ｐ（Ｗ／Ｓ）を算出する。ここで、ＲＦＲＰ信号の揺れ幅Ｗは、光ディスク装置１が外部から受ける衝撃によって光ディスク１ａが受ける振動、データの記録再生処理の際に光ディスク１ａが回転駆動部１６から受ける正常でない振動等のように一時的に発生する振動に基づくものである。従って、本実施形態の光ディスク装置１では、平均振幅Ｓに対する揺れ幅Ｗの割合Ｐが、予め設定された所定の閾値よりも大きい場合、ＯＰＣ処理の実行中に光ディスク１ａが一時的に異常な振動を受けたとし、ＯＰＣ処理部１３は、ＯＰＣ処理において、ＲＦ信号に基づくβ値又はジッタ値を複数回取得し、これらの平均値に基づいて最適な記録用パワーを決定する。
【００３５】
具体的には、ピックアップ１１が光ディスク１ａ上のＰＣＡ領域に記録されたデータの再生処理を行なった場合にＲＦ信号生成部１２が生成したＲＦ信号に対して、ＯＰＣ処理部１３が、例えば１００ｍｓｅｃ間における最大値Ａ１及び最小値Ａ２に基づくβ値を算出し、このβ値に基づくＯＰＣ処理を行なっているとする。この間に、ＲＦＲＰ信号の平均振幅Ｓに対する揺れ幅Ｗの割合Ｐが、例えば０．１以上となった場合、ＯＰＣ処理部１３は、ＲＦ信号に対して、１００ｍｓｅｃ間におけるβ値を連続して２回算出し、合せて３つのβ値の平均値を算出し、算出した平均値に基づいてＯＰＣ処理を行ない、最適な記録用パワーを特定する。なお、所定の閾値及び所定のサンプリング時間は、例えば、制御部１０のＲＯＭに予め記憶されており、ＯＰＣ処理部１３は、制御部１０からの指示に従って上述したような処理を行なう。
【００３６】
以下では、説明の簡略化のため、β値のみを用いたＯＰＣ処理を行なう構成の光ディスク装置１について説明するが、上述したように、ＲＦＲＰ信号の平均振幅Ｓに対する揺れ幅Ｗの割合Ｐが予め設定された所定の閾値よりも大きくなった場合に、ＲＦ信号の所定時間内におけるジッタ値を複数回算出し、算出した複数のジッタ値の平均値に基づくＯＰＣ処理を行なうように光ディスク装置１を構成することもできる。また、光ディスク装置１が、ＲＦ信号におけるエラー（誤り）数に基づいて最適な記録用パワーを決定する構成を有している場合には、上述したように、ＲＦＲＰ信号の平均振幅Ｓに対する揺れ幅Ｗの割合Ｐが予め設定された所定の閾値よりも大きくなった場合に、ＲＦ信号の所定時間内におけるエラー数を複数回検出し、検出した複数のエラー数の平均値に基づくＯＰＣ処理を行ない、最適な記録用パワーを決定するように構成してもよい。
【００３７】
上述したように、一時的に発生した異常な振動がＲＦ信号に付加された場合に、ＯＰＣ処理に用いるβ値、ジッタ値又はエラー数を複数回サンプリングし、これらの平均値に基づいてＯＰＣ処理を行なうことにより、ＲＦ信号における異常な揺れによる影響を小さくして安定したＯＰＣ処理を行なうことができる。従って、このようなＯＰＣ処理によって決定された最適な記録用パワーによって、光ディスク１ａ上に書き込まれたデータの信頼性をより安定に確保することができる。
【００３８】
以下に、上述した構成の光ディスク装置１において、ＯＰＣ処理を行なう際にＲＦ信号における揺れを検出する処理について説明する。図３は本発明に係る光ディスク装置１におけるＲＦ信号の揺れ検出処理の手順を示すフローチャートである。なお、以下の処理は、制御部１０に内蔵されたＲＯＭに予め格納されている制御プログラムに従って制御部１０によって実行される。
【００３９】
光ディスク装置１において、制御部１０は、ピックアップ１１によって光ディスク１ａへのデータの記録処理を行なう際にＯＰＣ処理を行なっており、ピックアップ１１によって光ディスク１ａ上のＰＣＡ領域に記録されたデータを再生し、ＲＦ信号生成部１２が生成したＲＦ信号を取得する（Ｓ１）。
【００４０】
次に制御部１０は、ＲＦ信号生成部１２が生成したＲＦ信号に基づいて、ＲＦＲＰ信号生成部１４によってＲＦＲＰ信号を生成する（Ｓ２）。制御部１０は、図示しない自身のタイマによって所定時間Ｔが経過したか否かを判断し（Ｓ３）、所定時間Ｔが経過していないと判断した場合（Ｓ３：ＮＯ）、ステップＳ１へ処理を戻し、ＲＦ信号生成部１２によるＲＦ信号の生成処理及びＲＦＲＰ信号生成部１４によるＲＦＲＰ信号の生成処理を継続する。
【００４１】
制御部１０は、所定時間Ｔが経過したと判断した場合（Ｓ３：ＹＥＳ）、揺れ幅検出部１５によって、ＲＦＲＰ信号生成部１４が生成したＲＦＲＰ信号の所定時間Ｔにおける平均振幅Ｓを算出し（Ｓ４）、ＲＦＲＰ信号の所定時間Ｔにおける揺れ幅Ｗを算出する（Ｓ５）。また、制御部１０は、揺れ幅検出部１５によって、平均振幅Ｓに対する揺れ幅Ｗの割合Ｐを算出し（Ｓ６）、算出した揺れ幅Ｗの割合Ｐが、予め設定された所定の閾値よりも小さいか否かを判断する（Ｓ７）。
【００４２】
制御部１０は、割合Ｐが閾値よりも小さいと判断した場合（Ｓ７：ＹＥＳ）、上述した処理を終了し、ステップＳ１で取得したＲＦ信号に基づく通常のＯＰＣ処理をＯＰＣ処理部１３によって実行し（Ｓ８）、最適な記録用パワーを決定する。制御部１０は、割合Ｐが閾値よりも大きいと判断した場合（Ｓ７：ＮＯ）、ステップＳ１で取得したＲＦ信号に基づいて、サンプリング回数を増加させたＯＰＣ処理をＯＰＣ処理部１３によって実行し（Ｓ９）、最適な記録用パワーを決定する。具体的には、制御部１０は、ステップＳ１で取得したＲＦ信号に対して、ＯＰＣ処理部１３によって、所定時間Ｔ内におけるβ値を連続して更に２回算出し、合せて３つのβ値の平均値に基づいてＯＰＣ処理を行なう。
【００４３】
制御部１０は、上述したように決定した最適な記録用パワーを所定のメモリに格納しておき、以降の記録処理の際に、この最適な記録用パワーに基づいて、光ディスク１ａに記録すべきデータに応じた記録パルスを生成してピックアップ１１へ出力する。これにより、制御部１０から出力された記録パルスに従って、ピックアップ１１が最適な記録用パワーでのレーザ光を照射するので、光ディスク１ａ上に記録されたデータの信頼性を安定に確保することができる。
【００４４】
上述した実施形態では、光ディスク１ａが正常でない振動を受け、ＲＦＲＰ信号の平均振幅Ｓに対する揺れ幅Ｗの割合Ｐが所定の閾値よりも大きくなった場合に、ＯＰＣ処理に用いるβ値を複数回算出し、その平均値に基づいて最適な記録用パワーを特定する構成の光ディスク装置１について説明した。しかし、ＯＰＣ処理に用いるβ値を算出するサンプリング時間を延長し、延長したサンプリング時間におけるβ値に基づいて最適な記録用パワーを特定する構成とすることもできる。具体的には、ＯＰＣ処理部１３が、ＲＦ信号に対して、例えば１００ｍｓｅｃ間における最大値Ａ１及び最小値Ａ２に基づくβ値を算出し、このβ値に基づくＯＰＣ処理を行なっている場合、サンプリング時間を例えば３００ｍｓｅｃとし、３００ｍｓｅｃ間における最大値Ａ１及び最小値Ａ２に基づくβ値を算出し、算出した平均値に基づいて最適な記録用パワーを特定すればよい。
【００４５】
なお、ＲＦ信号におけるジッタ値又はエラー数に基づいて最適な記録用パワーを決定するＯＰＣ処理を行なう構成の光ディスク装置１においても、同様に、ジッタ値又はエラー数を算出するサンプリング時間を延長し、延長したサンプリング時間におけるジッタ値又はエラー数に基づいて最適な記録用パワーを決定するように構成できる。
【００４６】
また、ＲＦ信号に異常な振動が付加されているか否かを判断する所定の閾値は、制御部１０のＲＯＭに予め記憶させておく構成に限られず、例えば、光ディスク装置１に光ディスク１ａが装着された直後に、ＲＦＲＰ信号の平均振幅Ｓに対する揺れ幅Ｗの割合Ｐを検出し、この検出結果を基準として閾値を決定するようにしてもよい。
【図面の簡単な説明】
【００４７】
【図１】本発明に係るディスク記録再生装置としての光ディスク装置の要部構成例を示すブロック図である。
【図２】本実施形態に係る光ディスク装置における再生信号の波形図である。
【図３】本発明に係る光ディスク装置におけるＲＦ信号の揺れ検出処理の手順を示すフローチャートである。
【符号の説明】
【００４８】
１  光ディスク装置（ディスク記録再生装置）
１ａ  光ディスク（記録媒体）
１０  制御部
１１  ピックアップ（記録手段、再生手段）
１３  ＯＰＣ処理部（調整手段）
１５  揺れ幅検出部
１５ａ  振幅算出部（振幅算出手段）
１５ｂ  差分算出部（差分算出手段）
１５ｃ  割合算出部（割合算出手段）
【図１】
2008041139.tif 000003
【図２】
2008041139.tif 000004
【図３】
2008041139.tif 000005